(57)【要約】      （修正有）【課題】室内の家具などに影響を受けずに、スラット開度を調整することができるブラインドシャッター装置を提供する。【解決手段】複数のスラット１８から構成されるシャッター１３と、隣接するスラット１８間の開度の大きさを変更するためにスラット１８を動かすスラット駆動部２１と、スラット駆動部２１を駆動させる制御部２Ａと、を有し、建築物９の開口部９３に設置されるブラインドシャッター装置１０であって、制御部２Ａは、電力を利用するための太陽光発電装置９２の発電量を取得する発電量取得部２２と、発電量に基づいて変更開度を設定するスラット開度設定部２４と、を有し、スラット駆動部２１を駆動してスラット１８を回動させて変更開度にする。【選択図】図１
2014101722.tif 000002
【特許請求の範囲】
【請求項１】
複数のスラットから構成されるシャッターと、隣接する前記スラット間の開度の大きさを変更するために前記スラットを動かすスラット駆動部と、前記スラット駆動部を駆動させる制御部と、を有し、建築物の開口部に設置されるブラインドシャッター装置であって、
前記制御部は、電力を利用するための太陽光発電装置の発電量を取得する発電量取得部と、前記発電量に基づいて変更開度を設定するスラット開度設定部と、を有し、前記スラットを前記変更開度に回動させるように前記スラット駆動部を駆動させるブラインドシャッター装置。
【請求項２】
前記スラット開度設定部は、前記発電量がしきい値を超えた場合に前記変更開度を晴れモードに設定し、前記発電量が前記しきい値以下の場合に前記変更開度を曇りモードに設定する請求項１に記載のブラインドシャッター装置。
【請求項３】
前記制御部は、地域、日付、及び時間のうち少なくとも１つと、前記発電量と、前記しきい値とを記憶する記憶部を有し、前記地域、時間、及び日付の少なくとも１つに基づいて前記しきい値を補正する請求項２に記載のブラインドシャッター装置。
【請求項４】
前記発電量に関わらず、前記晴れモード又は前記曇りモードに調整されている前記スラットを前記曇りモード又は前記晴れモードに補正するモード変更スイッチを有し、
前記制御部は、前記モード変更スイッチによって前記スラットの開度が補正された際の前記発電量に基づいて前記しきい値を補正するしきい値補正部を有する請求項２又は３に記載のブラインドシャッター装置。
【請求項５】
前記発電量に関わらず、前記スラットの開度を所定間隔で調整することができるスラット開度変更操作部を有し、
前記制御部は、前記発電量及びその発電量に対応する前記スラットの開度を記憶する記憶部と、前記スラット開度変更操作部によって前記スラットの開度が変更された場合、前記記憶部に記憶されている前記発電量に対応する前記開度を補正する記憶開度補正部と、を有する請求項１に記載のブラインドシャッター装置。
【請求項６】
屋内に照明器を有し、
前記制御部は、前記照明器の照明状態を取得する屋内照明状態取得部を有し、
前記スラット開度設定部は、前記発電量及び前記照明状態に基づいて前記変更開度を設定する請求項１に記載のブラインドシャッター装置。
【請求項７】
屋内に照明器を有し、
前記制御部は、前記照明器の照明状態を取得する屋内照明状態取得部を有し、
前記スラット開度設定部は、前記発電量が明暗しきい値よりも小さく、前記照明の照明状態が前記照明器が使用されている場合に、前記変更開度を閉じ開度に設定する請求項１〜５の何れか１項に記載のブラインドシャッター装置。
【請求項８】
複数のスラットから構成されるシャッターと、隣接する前記スラット間の開度の大きさによってブラインド状態を補正できるように前記スラットを動かすスラット駆動部と、前記スラット駆動部を駆動させる制御部と、を有し、建築物の開口部に設置されるブラインドシャッター装置であって、
屋内に照明器を有し、
前記制御部は、前記照明器の照明状態を取得する屋内照明状態取得部と、屋外の日照状態を取得する屋外日照状態取得部と、前記照明状態が前記照明器を使用している状態であり、且つ前記屋外の日照状態が屋外がうす暗いと判断される状態の場合に、変更開度を閉じ開度に設定するスラット開度設定部と、を有し、前記スラットの開度を前記変更開度に回動させるように前記スラット駆動部を駆動させるブラインドシャッター装置。
【請求項９】
前記屋内照度取得部は、前記照明器又は前記照明器を管理する装置から前記照明器のオン・オフ又は調光状態を取得する請求項８に記載のブラインドシャッター装置。
【請求項１０】
前記屋外照度取得部は、地域、日付及び時間、又は太陽光発電装置の発電量から前記屋外の日照状態を推測する請求項８又は９に記載のブラインドシャッター装置。
【発明の詳細な説明】
【技術分野】
【０００１】
本発明は、ブラインドシャッター装置に関し、特にスラット間の開口隙間を調整する機能を有するブラインドシャッター装置に関する。
【背景技術】
【０００２】
ブラインドシャッター装置は、横手方向に長い複数毎のスラットが前後で当接してシャッターとして機能する以外に、スラット間の開口隙間を調整し、スラットをブラインドとして機能させて屋内への風や光の入り具合を調整することができる。ブラインドシャッター装置は、スラットがブラインドとして機能する際、各スラットを回動させてスラットの開度（スラット開度）を調整することができる装置がある。例えば、特許文献１には、スラットを目標のスラット開度にすることができるブラインドが開示されている。特許文献１のブラインドは、室内に設置された照度計から照度を取得し、スラット開度が調整される。しかし、室内に照度計を設置するには、家具などにより設置位置が制限される。そのため、適当な室内照度を取得できる位置に照度計が必ずしも設置できるとは限らない。
【先行技術文献】
【特許文献】
【０００３】
【特許文献１】特開平８−２１１７０号公報
【発明の概要】
【発明が解決しようとする課題】
【０００４】
本発明は、上記状況に鑑みてなされたもので、室内の家具などに影響を受けずに、スラット開度を調整することができるブラインドシャッター装置を提供することを解決すべき課題とする。
【課題を解決するための手段】
【０００５】
上記課題を解決するための（１）の発明の構成上の特徴は、複数のスラットから構成されるシャッターと、隣接する前記スラット間の開度の大きさによってブラインド状態を補正できるように前記スラットを動かすスラット駆動部と、前記スラット駆動部を駆動させる制御部と、を有し、建築物の開口部に設置されるブラインドシャッター装置であって、
前記制御部が、電力を利用するための太陽光発電装置の発電量を取得する発電量取得部と、前記発電量に基づいて変更開度を設定するスラット開度設定部と、を有し、前記スラットを前記変更開度にするように前記スラット駆動部を駆動させることである。
【０００６】
ここで、開度とはスラット間の隙間に関する大きさであり、例えばスラットが回動する場合は基準値からの角度に関連するものであり、スラットが回動しない場合にはスラット間の間隔に関連するものである。両者の組み合わせで開度が決定されるシャッターも想定できる。
【０００７】
（２）の発明は（１）の発明において、前記スラット開度設定部が、前記発電量がしきい値を超えた場合に前記変更開度を晴れモードに設定し、前記発電量が前記しきい値以下の場合に前記変更開度を曇りモードに設定することである。晴れモード及び曇りモードは一方が他方よりもスラット開度が狭いが、必ずしも一方のスラット開度が広いや狭いに限定されず、季節や時間を考慮して変更することができる。
【０００８】
（３）の発明は（２）の発明において、前記制御部は、地域、日付、及び時間のうち少なくとも１つと、前記発電量と、前記しきい値とを記憶する記憶部を有し、前記地域、時間、及び日付の少なくとも１つに基づいて前記しきい値を補正することである。
【０００９】
（４）の発明は（２）又は（３）の発明において、前記発電量に関わらず、前記晴れモード又は前記曇りモードに調整されている前記スラットを前記曇りモード又は前記晴れモードに補正するモード変更スイッチを有し、
前記制御部が、前記モード変更スイッチによって前記スラットの開度が補正された際の前記発電量に基づいて前記しきい値を補正するしきい値補正部を有することである。
【００１０】
（５）の発明は（１）の発明において、前記発電量に関わらず、前記スラットの開度を所定間隔で調整することができるスラット開度変更操作部を有し、
前記制御部が、前記発電量及びその発電量に対応する前記スラットの開度を記憶する記憶部と、前記スラット開度変更操作部によって前記スラットの開度が変更された場合、前記記憶部に記憶されている前記発電量に対応する前記開度を補正する記憶開度補正部と、を有することである。
【００１１】
（６）の発明は（１）の発明において、屋内に照明器を有し、前記制御部が前記照明器の照明状態を取得する屋内照明状態取得部を有し、前記スラット開度設定部が前記発電量及び前記照明状態に基づいて前記変更開度を設定することである。照明状態とは、照明器のオン・オフ、更には調光機能があれば調光段階や調光段階から得られる照度などである。
【００１２】
（７）の発明は（１）〜（５）の発明において、屋内に照明器を有し、前記制御部が前記照明器の照明状態を取得する屋内照明状態取得部を有し、前記スラット開度設定部が前記発電量が明暗しきい値よりも小さく、前記照明の照明状態が前記照明器が使用されている場合に前記変更開度を閉じ開度に設定することである。明暗しきい値とは、屋外が明るいか暗いかを判断するためのしきい値であり、発電量で判断する。明暗しきい値は、一定の基準値としたり、取り付けられる照明器の照明状態（照度）に基づいて設定したりすることなどが考えられる。
【００１３】
（８）の発明の構成上の特徴は、複数のスラットから構成されるシャッターと、隣接する前記スラット間の開度の大きさによってブラインド状態を補正できるように前記スラットを動かすスラット駆動部と、前記スラット駆動部を駆動させる制御部と、を有し、建築物の開口部に設置されるブラインドシャッター装置であって、
屋内に照明器と、を有し、
前記制御部が、前記照明器の照明状態を取得する屋内照明状態取得部と、屋外の日照状態を取得する屋外日照状態取得部と、前記照明状態が前記照明器を使用している状態であり、且つ前記屋外の日照状態が屋外がうす暗いと判断される状態の場合に、変更開度を閉じ開度に設定するスラット開度設定部と、を有し、前記スラットの開度を前記変更開度にするように前記スラット駆動部を駆動させることである。
【００１４】
屋外の日照状態とは、照度に関連する連続値をそのまま利用したり、照度に関連する値が所定のしきい値を超えるか超えないかで判定される二値情報としたりできる。日照状態を取得する方法としては、例えばＨＥＭＳ（Home Energy Management System）などのシステムを利用して、太陽光発電装置の発電量から明暗や照度を推測したり、地域、日付あるいは時間を取得し、屋外の明暗や照度を推測したりして取得する。
【００１５】
（９）の発明は（８）の発明において、前記屋内照度取得部が前記照明器又は前記照明器を管理する装置から前記照明器のオン・オフ又は調光状態を取得することである。
【００１６】
（１０）の発明は（８）又は（９）の発明において、前記屋外照度取得部が地域、日付及び時間、又は太陽光発電装置の発電量から前記屋外の日照状態を推測することである。
【発明の効果】
【００１７】
（１）の発明においては、スラット開度を調整するために発電量を利用する。発電量は、太陽光発電装置から取得する。太陽光発電装置は建築物の屋根（屋上）に設置されるため、室内に設置される照度計とは違い、家具などの影響を受けない情報を提供することができる。また、太陽光発電装置の太陽電池パネルは面積が広いため、得られる発電量は照度計のように狭い一定の場所の照度ではなく、遮へい物や少々の汚れの付着にも影響を受けにくい。よって、（１）の発明によれば、太陽光発電装置の発電量に基づいて、室外の照度を推測することができるため、室内の配置場所を苦慮したり、室内の家具などの影響を受けたりする照度計を設置せずに、スラット開度を適切に調整することができる。なお、発電量は太陽光発電装置から直接的又は間接的に取得することができる。間接的に取得する方法としては、例えばＨＥＭＳ（Home Energy Management System）のようなシステムを介する方法がある。発電量を間接的に取得する場合は特に現時点か近い過去の発電量が得られるのが好ましい。
【００１８】
（２）の発明においては、太陽光発電装置の発電量に基づいて、晴れか曇りかをしきい値で判断し、晴れモードと曇りモードとの２つの開度にスラット開度を設定する。そのため、しきい値を適切な値に設定することができればスラット開度を適切に調整できる。
【００１９】
（３）の発明においては、地域、日付、及び時間のうち少なくとも１つと、取得した発電量と、スラット開度及び／又はしきい値とを記憶する記憶部を有する。発電量は、地域、日付、又は時間によって変化するため、それらに基づいて、しきい値、晴れモード又は曇りモードの少なくとも１つを補正したり、変更したりすることで、地域、季節あるいは時間にあった快適なスラット開度に調整することができる。
【００２０】
（４）の発明においては、晴れモード又は曇りモードに調整されたスラット開度を切り替えるモード変更スイッチを有する。制御部は、モード変更スイッチによって晴れモードと曇りモードとが変更された場合の発電量に基づいて、しきい値を補正するしきい値補正部を有する。よって、（４）の発明によれば、ブラインドシャッター装置が設置された場所や使用する人の好みなどに合わせたスラット開度にするために、しきい値を補正することができる。
【００２１】
（５）の発明においては、記憶部が取得した発電量とその発電量の際のスラット開度とを記憶する。制御部は、スラット開度が手動で変更された場合に、記憶部に記憶されている発電量のスラット開度を補正する記憶スラット開度補正部を有する。よって、（５）の発明によれば、発電量に応じたスラット開度を適宜、補正することができるため、より快適なスラット開度に調整することができる。
【００２２】
（６）の発明においては、発電量だけでなく屋内の照明の照明状態も考慮して、スラットのスラット開度を調整することができる。よって（６）の発明によれば、屋外よりも屋内が明るい場合に、屋外から屋内を見にくくするようにスラットのスラット開度を調整する等の制御が可能である。
【００２３】
（７）の発明によれば、屋外が明るいかどうか、発電量を明暗しきい値に基づいて判断し、屋外が暗くて屋内照明がついている場合はスラットのスラット開度を閉じ開度に設定することで、屋外から屋内を見えにくいスラット開度にすることができる。
【００２４】
（８）の発明によれば、屋内の照明状態と屋外の日照状態とを取得し、屋外よりも屋内が明るいと判断される場合には、スラットのスラット開度を閉じ開度に調整することで、屋外から屋内を見えにくいスラット開度にすることができる。
【００２５】
（９）の発明によれば、照明器から直接又は照明器を管理する装置、例えばＨＥＭＳ、から屋内の照明状態を取得することができる。
【００２６】
（１０）の発明においては、屋外の日照状態を直接的な明暗の情報だけでなく、地域、日付及び時間から推測したり、太陽光発電装置の発電量から推測したりすることができる。そのため、（１０）の発明によれば、照度計のように狭い範囲の照度、家具、建物あるいは付着物の影響を受けた照度よりも正確に日照状態を取得することができる。
【図面の簡単な説明】
【００２７】
【図１】実施形態１のブラインドシャッター装置１０の構成を示す概略図である。
【図２】実施形態１のブラインドシャッター装置１０のシャッター１３が全閉状態の斜視図である。
【図３】実施形態１のブラインドシャッター装置１０のシャッター１３がブラインド状態の斜視図である。
【図４】実施形態１のブラインドシャッター装置１０の制御部２Ａで実行されるフローチャートである。
【図５】実施形態２のブラインドシャッター装置１０の構成を示す概略図である。
【図６】実施形態２のブラインドシャッター装置１０の制御部２Ｂで実行されるフローチャートである。
【図７】実施形態３のブラインドシャッター装置１０の構成を示す概略図である。
【図８】実施形態３のブラインドシャッター装置１０の制御部２Ｃ実行されるフローチャートである。
【図９】実施形態４のブラインドシャッター装置１０の構成を示す概略図である。
【図１０】実施形態４のブラインドシャッター装置１０の制御部２Ｄで実行されるフローチャートである。
【図１１】実施形態５のブラインドシャッター装置１０の構成を示す概略図である。
【図１２】実施形態５のブラインドシャッター装置１０の制御部２Ｅで実行されるフローチャートである。
【図１３】実施形態６のブラインドシャッター装置４０の構成を示す概略図である。
【図１４】実施形態６のブラインドシャッター装置４０の制御部４で実行されるフローチャートである。
【発明を実施するための形態】
【００２８】
本発明の代表的な実施形態を図１〜図１４を参照して説明する。本実施形態に係るブラインドシャッター装置は、太陽光発電装置を備える建築物の開口部（窓など）に取り付けられる。太陽光発電装置は、得られる電力を建築物の電力として利用することを目的に建築物の屋根や屋上に取り付けられる装置である。ブラインドシャッター装置１０は、例えば図１に示すように、建築物９の屋根９１に太陽光発電装置の太陽電池パネル９２が取り付けられている建築物９の窓９３に取り付けられる。
【００２９】
各実施形態で用いられるブラインドシャッター装置１０は、モータ１１と、モータ１１によって回転駆動する巻き取り軸１２と、縦方向に延びる平行に並走された２本のガイドレール部１５と、ガイドレール部１５に沿って昇降され昇降に伴い開閉させるシャッター１３と、モータ１１および巻き取り軸１２を格納する格納ボックス１６と、制御部２Ａとを備える。制御部２Ａは、例えば格納ボックス内１６に内蔵される。そして、シャッター１３は、下端に位置する座板１７と、座板１７より上側の部分を構成する多数のスラット１８とによって構成されている。スラット１８は横長に延設されており、上下方向に複数個並設されている。ブラインドシャッター装置１０は、スラット１８が巻き取り軸１２に巻き取られて窓９３が直接外部に露出するシャッター使用形態と、各スラット１８がそれぞれ回動してスラット１８をブラインドとして使用するブラインド使用形態とに使い分けることができる。
【００３０】
スラット１８をシャッターとして使用する場合、モータ１１は、シャッター１３を巻き取り軸１２に巻き取る巻き取り方向（矢印Ｙ１方向）と、巻き取り軸１２に巻き取られているシャッター１３を巻き戻す巻き戻し方向（矢印Ｙ２方向）と、にそれぞれ回転可能とされている。シャッター１３はモータ１１の一方向の回転により上昇し、モータ１１の他方向の回転により下降する。
【００３１】
そして、スラット１８をブラインドとして使用する場合、各スラット１８はモータ１１（別の駆動装置でも良い）の駆動によって、上下方向で隙間のない全閉状態（図２）から、各スラット１８間に隙間のあるブラインド状態（図３）に回動することができる。各スラット１８は所定角度毎に回動し、開度（以下、「スラット開度」という。）を調整することができる。なお、所定角度としては５度、１０度、１５度、２０度など、適宜、選択・設定できる。
【００３２】
シャッター１３を巻き取ったり、巻き戻したり、またスラット１８をブラインドとして使用したりするには、コントローラ（図示略）を使用する。コントローラは制御部２Ａに入力された動作に必要な情報（電気信号）を出力し、制御部２Ａが受信した情報を元に必要な指令（電気信号）を各構成要素に出力する。コントローラに表示パネルやランプが点灯する場合、制御部２Ａから制御状態や異常が発生していないかなどが表示される。コントローラと制御部２Ａとは、電気信号などが送受信できる状態であれば有線でも無線でもよく、コントローラは建築物の内部に配置されている。また、１つの建築物に対して、ブラインドシャッター装置１０が各開口部９３に取り付けられている場合、全てのブラインドシャッター装置１０を１つのコントローラで制御することも、各開口部９３付近に配置されている各コントローラで個別に制御することもできる。
【００３３】
（実施形態１）
本実施形態１のブラインドシャッター装置１０で用いられる制御部２Ａは、図１に示すように、スラット駆動部２１と発電量取得部２２とスラット制御状態取得部２３とスラット開度設定部２４とを備える。スラット駆動部２１は、上記したモータ１１によって、入力される開度にスラット１８を回動させることができる。発電量取得部２２は、太陽光発電装置の発電量を取得することができる。発電量としては発電量取得時時点の発電量をそのまま利用するほか、所定時間における発電量の総量（又は時間平均）を利用することなどもできる。発電量の取得先としては、太陽光発電装置から直接や太陽光発電装置の制御するＨＥＭＳ（Home Energy Management System）などから、現時点あるいは近い過去の発電量を取得することができるのが望ましい。
【００３４】
スラット制御状態取得部２３は、スラット１８が発電量に基づいて制御されているか、発電量に基づいて制御されていないかの状態を取得する。本実施形態で用いられるブラインドシャッター装置１０は、上記したコントローラで直接操作して、好みのスラット開度にスラット１８を回動させている場合、スラット１８が発電量によって制御されていない状態である。なお、発電量によって自動でスラット１８を制御する場合とそうでない場合とは、コントローラを使用して切り替えることができる。
【００３５】
スラット開度設定部２４は、変更開度を晴れモード又は曇りモードに設定し、変更開度をスラット駆動部２１に出力する。スラット開度設定部２４では、発電量が発電量しきい値を超えた場合に晴れモード、そうでない場合に曇りモードに変更開度を設定する。発電量しきい値、２つのモードのスラット開度は初期値として予め設定している。なお、２つのモードのスラット開度は、例えば晴れモードが曇りモードよりも狭い。
【００３６】
次に、制御部２Ａで実行される制御内容について図４に示すフローチャートを参照して説明する。制御部２Ａで実行される制御内容は、図４に示すフローチャートに限定されるものではなく、あくまでも一例である。
【００３７】
制御部２Ａは、まず発電量取得部２２によって発電量を取得する（ステップＳ２１）。次に、スラット制御状態取得部２３によってスラット１８が発電量によって制御されているかどうかの制御状態を取得し、発電量によって制御されている場合はステップＳ２３を実行し、発電量によって制御されていない場合はステップＳ２４を実行する（ステップＳ２２）。ステップＳ２４では、発電量によって制御されていない状態を維持して、本フローチャートに示した制御を終了する。ステップＳ２３では、ステップＳ２１で取得した発電量が発電量しきい値より大きいかどうかを比較し、大きい場合はステップＳ２５を実行し、そうでない場合はステップＳ２６を実行する。ステップＳ２５では、スラット開度設定部２４によって変更開度を晴れモードに設定し、スラット駆動部２１でスラット１８のスラット開度を変更開度に補正する。ステップＳ２６では、スラット開度設定部２４によって変更開度を曇りモードに設定し、スラット駆動部２１でスラット１８のスラット開度を変更開度に調整する。制御部２ＡはステップＳ２５又はステップＳ２６を実行後、本フローチャートに示した制御を終了する。
【００３８】
制御部２Ａでは、本フローチャートに示した制御を（１）定期的に実行、（２）コントローラを操作し、意図的に発電量による制御を希望する場合に実行することができる。（１）の場合、一定時間毎、例えば３０分毎、１時間毎、数時間毎に実行する。あるいはステップＳ２１を定期的に実行し、取得した発電量が晴れモードと曇りモードとを逆転する発電量の際、実行する、というフローも考えられる。
【００３９】
本実施形態のブラインドシャッター装置１０がスラット開度を調整するために利用する発電量は、太陽光発電装置から得られる。太陽光発電装置は、建築物９の屋根９１に設置されるため、室内に設置される照度計のように家具などの影響を受けない。また、太陽電池パネル９２は面積が広いため得られる発電量は、照度計のように一定の場所だけの照度、遮へい物による不正確な照度、あるいは汚れが付着した状態での照度などのように遮へい物による影響を受けにくい。従って、本実施形態のブラインドシャッター装置１０によれば、太陽光発電装置による発電量に基づいて、室外の照度（晴れや曇り）を推測することができるため、室内の家具などの影響を受けずに、スラット開度を適切に調整することができる。
【００４０】
（実施形態２）
本実施形態２のブラインドシャッター装置１０は、図５及び図６に示すように、基本的な構成は実施形態１のブラインドシャッター装置１０と同じ構成及び作用効果を有する。以下では、異なる構成を中心に説明していく。
【００４１】
本実施形態２のブラインドシャッター装置１０で用いられる制御部２Ｂは、図５に示すように、スラット駆動部２１と発電量取得部２２とスラット制御状態取得部２３とスラット開度設定部２４と記憶部２５とを備える。スラット駆動部２１、発電量取得部２２、スラット制御状態取得部２３及びスラット開度設定部２４のそれぞれは、実施形態１のブラインドシャッター装置１０で用いられる制御部２Ａのスラット駆動部２１、発電量取得部２２、スラット制御状態取得部２３及びスラット開度設定部２４にそれぞれ対応する。記憶部２５は、本実施形態２のブラインドシャッター装置１０が設置される建築物９の地域、日付、時間、発電量、及びスラット開度を記憶する。
【００４２】
次に、制御部２Ｂで実行される制御内容について図６に示すフローチャートを参照して説明する。制御部２Ｂで実行される制御内容は、図６に示すフローチャートに限定されるものではなく、あくまでも一例である。
【００４３】
制御部２Ｂが実行するフローチャートのうち、ステップＳ２１〜ステップ２６までは、実施形態１のブラインドシャッター装置１０で用いられる制御部２Ａで実行されるフローチャートと同じであるため、説明を省略する。制御部２ＢはステップＳ２５又はステップＳ２６を実行後、地域、日付及び現時点での時間を取得し、地域、日付、時間とともに発電量、発電量しきい値及びスラット開度を記憶部２５に記憶し（ステップＳ２７）、本フローチャートに示した制御を終了する。
【００４４】
制御部２Ｂでは、これらの記憶した情報（データ）を元に、発電量しきい値や２つのモードのスラット開度を調整することができる。制御部２Ｂは、発電量しきい値や２つのモードのスラット開度を記憶部２５に記憶させておき、地域、日付から地域毎の季節に応じた発電量しきい値としたり、時間毎に発電量しきい値を変更したりするのに利用することができる。例えば、季節が夏の間で昼間は曇りモードよりも晴れモードのスラット開度を小さくして風が通る程度の開度で太陽光が屋内に入るのを遮り、季節が冬の間で昼間は晴れモードが曇りモードよりもスラット開度を大きくすることである。屋内に太陽光を部屋に取り入れて暖かくし、曇りの時は屋内で暖房が使用されている状態で換気のためにスラット開度を少しだけにする等の調整が考えられる。よって、晴れモード及び曇りモードは必ずしもスラット開度が同じではなく、記憶部２５に記憶されている情報に基づいて設定することが可能である。
【００４５】
記憶部２５に記憶された情報は、例えば、図６のフローチャートのステップＳ２１の前後で取り出すことができる。制御部２Ｂは、地域、日付及び時間を取得し、それらの情報に関連する発電量しきい値やスラット開度を記憶部２５から取得する。そして、ステップ２３で用いられる発電量しきい値を記憶部２５から取得した発電量しきい値や晴れモード、曇りモードに設定することができる。なお、記憶部２５に記憶された情報が十分にない場合は、初期値として設定されている値を使用するなどが考えられる。
【００４６】
更には、記憶部２５を有することで、記憶した情報を補正し、より地域に即した情報として、日付や時間毎に細やかに設定し、学習し、補正させることが可能である。
【００４７】
本実施形態２のブラインドシャッター装置１０によれば、地域、日付、又は時間によって変化する発電量を記憶し、学習することができる。そして、記憶した情報に基づいて、発電量しきい値、晴れモード又は曇りモードの少なくとも１つを設定したり、変更したり、補正したりすることができるため、より好ましい、より快適なスラット開度にスラット１８を調整することができる。その他に、記憶部２５に発電量を記憶しておくことで、発電量が取得できない故障などのような場合にも地域、日付、又は時間によってスラット１８のスラット開度を調整することもできる。
【００４８】
（実施形態３）
本実施形態３のブラインドシャッター装置１０は、図７及び図８に示すように、基本的な構成は実施形態１のブラインドシャッター装置１０と同じ構成及び作用効果を有する。以下では、異なる構成を中心に説明していく。
【００４９】
本実施形態３のブラインドシャッター装置１０は、図７に示すように、実施形態１のブラインドシャッター装置１０の構成に加えて、モード変更スイッチ１９を備える。モード変更スイッチ１９は、例えば上記したコントローラのスイッチの１つとして配列されている。モード変更スイッチ１９は、晴れモード又は曇りモードに調整されているスラット１８のスラット開度を入れ替えるスイッチである。モード変更スイッチ１９が押されると、スラット１８は、晴れモードであれば曇りモードにスラット開度が変更され、曇りモードであれば曇りモードにスラット開度が変更される。
【００５０】
そして、制御部２Ｃは、スラット駆動部２１と発電量取得部２２とスラット制御状態取得部２３とスラット開度設定部２４としきい値補正部２６とを備える。スラット駆動部２１、発電量取得部２２、スラット制御状態取得部２３及びスラット開度設定部２４のそれぞれは、実施形態１のブラインドシャッター装置１０で用いられる制御部２Ａのスラット駆動部２１、発電量取得部２２、スラット制御状態取得部２３及びスラット開度設定部２４にそれぞれ対応する。しきい値補正部２６は、モード変更スイッチ１９によってスラット１８のスラット開度が変更された場合に、発電量取得部２２で取得した発電量に基づいて発電量しきい値を補正する。しきい値補正部２６は、モード変更スイッチ１９が一度使用されただけでなく、何度か利用された場合に、そのときの発電量に基づいて発電量しきい値を補正するなどの仕様が考えられる。発電量しきい値を補正する方法としては、モード変更スイッチ１９が使用された際の発電量をそのまま発電量しきい値としたり、モード変更スイッチ１９が使用された際の複数回分の発電量の平均値を発電量しきい値としたり、発電量と発電量しきい値との平均値を新しい発電量しきい値としたり、などが考えられる。
【００５１】
次に、制御部２Ｃで実行される制御内容について図８に示すフローチャートを参照して説明する。制御部２Ｃで実行される制御内容は、図８に示すフローチャートに限定されるものではなく、あくまでも一例である。
【００５２】
制御部２Ｃが実行するフローチャートのうち、ステップＳ２１〜ステップ２６までは、実施形態１のブラインドシャッター装置１０で用いられる制御部２Ａで実行されるフローチャートと同じであるため、説明を省略する。制御部２ＣはステップＳ２５又はステップＳ２６を実行後、モード変更スイッチ１９が押されたかどうかを判断し（ステップＳ２８）、押された場合はしきい値補正部２６によって発電量しきい値を補正する（ステップＳ２９）し、そうでない場合は本フローチャートに示した制御を終了する。
【００５３】
本実施形態３のブラインドシャッター装置１０によれば、ブラインドシャッター装置１０が設置された場所や使用する人の好みなどに合わせたスラット開度にするために、発電量しきい値を補正することができる。
【００５４】
（実施形態４）
本実施形態４のブラインドシャッター装置１０は、図９及び図１０に示すように、基本的な構成は実施形態１のブラインドシャッター装置１０と同じ構成及び作用効果を有する。以下では、異なる構成を中心に説明していく。
【００５５】
本実施形態４のブラインドシャッター装置１０は、図９に示すように、実施形態１のブラインドシャッター装置１０の構成に加えて、スラット開度変更操作部１４を備える。スラット開度変更操作部１４は、例えば上記したコントローラのスイッチの１つとして配列されている。スラット開度変更操作部１４は、ブラインドシャッター装置１０が発電力に基づいて制御されている場合に限らず、手動でスラット１８の開度を変更するスイッチの１つである。スラット開度変更操作部１４は、押される毎に、スラット１８が１５度ずつ回動する（回動幅は変更可能）。回動は、スラット１８がほぼ鉛直のスラット開度０度とほぼ水平のスラット開度９０度との間を開方向に回動して略９０度に達すれば閉方向回動し、略０度に達すれば開方向に回動する。なお、スラット開度変更操作部１４は、１つではなく２つとし、１つを開方向に回動させる開スイッチと、もう１つを閉方向に回動させる閉スイッチとすることもできる。
【００５６】
本実施形態４のブラインドシャッター装置１０で用いられる制御部２Ｄは、図９に示すように、スラット駆動部２１と発電量取得部２２とスラット制御状態取得部２３とスラット開度設定部２７と記憶部２８と記憶スラット開度補正部２９とを備える。スラット駆動部２１、発電量取得部２２及びスラット制御状態取得部２３のそれぞれは、実施形態１のブラインドシャッター装置１０で用いられる制御部２Ａのスラット駆動部２１、発電量取得部２２及びスラット制御状態取得部２３にそれぞれ対応する。スラット開度設定部２７は、複数の発電量しきい値に基づいて、複数のスラット開度の何れかを変更開度に設定する。例えば、発電量が第１発電量しきい値よりも大きい場合は第１開度、第１発電量しきい値以下で第２発電量しきい値よりも大きい場合は第２開度、第２発電量しきい値以下で第３発電量しきい値よりも大きい場合は第３開度、第３発電量しきい値以下の場合は第４開度に変更開度を設定する。
【００５７】
記憶部２８は、スラット開度設定部２７で用いられる複数の発電量しきい値と対応する複数のスラット開度とが記憶されている。記憶スラット開度補正部２９は、スラット１８のスラット開度がスラット開度変更操作部１４によって変更された場合に、記憶部２８に記憶されている発電量に対応するスラット開度を補正する。スラット開度の補正は、発電量によってブラインドシャッター装置１０が制御されている状態でありながら、何度かスラット開度変更操作部１４が利用された場合に、各発電量しきい値のスラット開度の何れかが変更されたのを記憶しており、所定回数繰り替えられた発電量しきい値についてのスラット開度を補正する。また、補正するスラット開度としては、スラット開度変更操作部１４により変更されたスラット開度を変更の都度、変更したスラット開度をそのまま補正に反映させたり、一定の重み付けを行って補正に利用（例えば補正前のスラット開度と変更したスラット開度の平均値に補正する）したりする。
【００５８】
次に、制御部２Ｄで実行される制御内容について図１０に示すフローチャートを参照して説明する。制御部２Ｄで実行される制御内容は、図１０に示すフローチャートに限定されるものではなく、あくまでも一例である。
【００５９】
制御部２Ｄは、まずスラット制御状態取得部２３を実行し、スラット１８が発電量によって制御されているかどうかの制御状態を取得し、発電量によって制御されていない場合はステップＳ３２を実行し、発電量によって制御されている場合はステップＳ３３を実行する（ステップＳ３１）。ステップＳ３２では、発電量によって制御されていない状態を維持して、本フローチャートに示した制御を終了する。そして、ステップＳ３３では発電量取得部２２によって発電量を取得し、記憶部２８から第１〜第３発電量しきい値と対応する第１〜第３開度とを取得する。
【００６０】
次に、発電量と第１発電量しきい値とを比較し（ステップＳ３４）、発電量が第１発電量しきい値よりも大きい場合はスラット開度設定部２７によって変更開度を第１開度に設定し、スラット駆動部２１でスラット１８のスラット開度を変更開度に調整する（ステップＳ３５）。発電量が第１発電量しきい値以下の場合は発電量と第２発電量しきい値とを比較し（ステップＳ３６）、発電量が第２発電量しきい値よりも大きい場合はスラット開度設定部２７によって変更開度を第２開度に設定し、スラット駆動部２１でスラット１８のスラット開度を変更開度に調整する（ステップＳ３７）。発電量が第２発電量しきい値以下の場合は発電量と第３発電量しきい値とを比較し（ステップＳ３８）、発電量が第３発電量しきい値よりも大きい場合はスラット開度設定部２７によって変更開度を第３開度に設定し、スラット駆動部２１でスラット１８のスラット開度を変更開度に調整する（ステップＳ３９）。発電量が第３しきい値以下の場合はスラット開度設定部２７によって変更開度を第４開度に設定し、スラット駆動部２１でスラット１８のスラット開度を変更開度に調整する（ステップＳ４０）。
【００６１】
そして、スラット開度が手動で変更されたかどうかを判断し（ステップＳ４１）、変更されていない場合は本フローチャートに示した制御を終了する。スラット開度が変更された場合は、記憶スラット開度補正部２９によって記憶部２８の第１〜第４開度の何れかの値を補正する（ステップＳ４２）。制御部２Ｄは、補正後に本フローチャートに示した制御を終了する。
【００６２】
本実施形態４のブラインドシャッター装置１０は、発電量に基づいてスラット１８を４種類のスラット開度に調整する。そして、制御部２Ｄはスラット開度が発電量によらず変更された場合、記憶部２８に記憶されているスラット開度を補正する。よって、本実施形態４のブラインドシャッター装置１０によれば、発電量に応じたスラット開度が複数用意されており、更にそのスラット開度を適宜補正し、記憶することができるため、状況や好みに合わせて細やかにスラット１８のスラット開度に調整することができる。
【００６３】
（実施形態５）
本実施形態５のブラインドシャッター装置１０は、図１１及び図１２に示すように、基本的な構成は実施形態１のブラインドシャッター装置１０と同じ構成及び作用効果を有する。以下では、異なる構成を中心に説明していく。
【００６４】
本実施形態５のブラインドシャッター装置１０が取り付けられている建築物９の内部に照明器５１が取り付けられている。照明器５１は、ＨＥＭＳなどの建築物９の電力や電気を管理している装置によって制御可能である。
【００６５】
本実施形態５のブラインドシャッター装置１０で用いられる制御部２Ｅは、図１１に示すように、スラット駆動部２１と発電量取得部２２とスラット制御状態取得部２３と屋内照明状態取得部３１とスラット開度設定部３２とを備える。スラット駆動部２１、発電量取得部２２及びスラット制御状態取得部２３のそれぞれは、実施形態１のブラインドシャッター装置１０で用いられる制御部２Ａのスラット駆動部２１、発電量取得部２２及びスラット制御状態取得部２３にそれぞれ対応する。屋内照明状態取得部３１は、照明器５１の照明状態を取得することができる。照明状態とは、照明器５１のオン・オフ、あるいは調光可能であれば調光に対応する照度などである。そして、スラット開度設定部３２は、照明器５１がオンの照明が点灯している状態であれば変更開度を閉じ開度に設定し、照明器５１がオフの照明が消灯している状態であれば、発電量によって変更開度を晴れモード又は曇りモードに設定し、変更開度をスラット駆動部２１に出力する。閉じ開度は、スラット１８が垂直方向に対して略０度のほぼ鉛直状態から略３０度の間である。
【００６６】
次に、制御部２Ｅで実行される制御内容について図１２に示すフローチャートを参照して説明する。制御部２Ｅで実行される制御内容は、図１２に示すフローチャートに限定されるものではなく、あくまでも一例である。
【００６７】
制御部２Ｅは、まず発電量取得部２２によって発電量を取得し（ステップＳ５１）、屋内照明状態取得部３１によって照明器５１の照明状態を取得する（ステップＳ５２）そして、照明器５１が使用されていか使用されていないか判断し（ステップＳ５３）、使用されている場合はステップＳ５４を実行し、使用されていない場合はステップＳ５５を実行する。ステップＳ５４では、スラット開度設定部３２によって変更開度を閉じ開度に設定し、スラット駆動部２１でスラット１８のスラット開度を変更開度に調整し、本フローチャートに示した制御を終了する。ステップＳ５５からステップＳ５９は、実施形態１のブラインドシャッター装置１０で用いられる制御部２Ａで実行されるフローチャートのＳ２２〜Ｓ２６までと同じであるため、説明を省略する。
【００６８】
本実施形態５のブラインドシャッター装置１０によれば、屋内の照明器が使用されている場合に、スラット１８を閉じ開度にすることで、屋外から屋内を見えにくくすることができる。そして、照明器が使用されていなければ、太陽光発電装置の発電量でスラット１８のスラット開度を晴れか曇りのモードに調整することができる。
【００６９】
（実施形態６）
本実施形態６のブラインドシャッター装置４０は、図１３及び図１４に示すように、基本的な構成は実施形態１のブラインドシャッター装置１０と同じ構成及び作用効果を有する。以下では、異なる構成を中心に説明していく。
【００７０】
本実施形態６のブラインドシャッター装置４０が取り付けられている建築物９の内部に照明器５１が取り付けられている。照明器５１は、ＨＥＭＳなどの建築物９の電力や電気を管理している装置によって制御可能である。
【００７１】
本実施形態６のブラインドシャッター装置４０で用いられる制御部４は、図１３に示すように、スラット駆動部４１と屋内照明状態取得部４２と屋外照明状態取得部４３とスラット開度設定部４４とを備える。スラット駆動部４１は、モータ１１によって、入力される開度にスラット１８を回動させることができる。屋内照明状態取得部４２は、照明器５１の照明状態を取得することができる。照明状態とは、照明器５１のオン・オフ、あるいは調光可能であれば調光に対応する照度などである。屋外日照状態取得部４３は、太陽光発電装置の発電量を取得し、発電量から照度を推測する。スラット開度設定部４４は、屋内の照明状態と屋外の日照状態から屋外より屋内が明るいかどうか判定し、屋内が明るい場合はスラットの変更開度を閉じ開度に設定する。屋外が明るい場合はスラットの現在のスラット開度を変更開度に設定する。屋内が明るいか屋外が明るいかの判定は実際の照度の値を用いて判定する場合の他、日時や、緯度などの状況により推測される屋外の明るさが所定の条件を満たす場合に屋内の照明を点灯したときには屋内が屋外よりも明るいものと判定することも望ましい。
【００７２】
次に、制御部４で実行される制御内容について図１４に示すフローチャートを参照して説明する。制御部４で実行される制御内容は、図１４に示すフローチャートに限定されるものではなく、あくまでも一例である。
【００７３】
制御部４は、まず屋内照明状態取得部４１から屋内の照明状態を取得し（ステップＳ６１）、屋外日照状態取得部４２から屋外の日照状態を取得する（ステップＳ６２）。そして、スラット開度設定部４４によって屋外よりも屋内が明るいかどうか判定する（ステップＳ６３）。屋外の方が明るい場合は変更開度を現在のスラット開度に設定し、現在のスラット開度を維持する（ステップＳ６４）。屋内の方が明るい場合は変更開度を閉じ開度に設定し、スラット駆動部４１によってスラット１８を閉じ開度に調整する（ステップＳ６５）。ステップＳ６４及びステップＳ６５のあと、本フローチャートに示した制御を終了する。本フローチャートに示した制御は、定期的に実行することで、屋内の照明が使用されるほど屋外が暗くなった場合に、自動的にスラット１８が閉じ開度に調整され、屋外から屋内が見えにくくすることができる。また、必要に応じて実行することで、例えば帰宅直後のスラット１８を調整の手間を省くことができる。
【００７４】
本実施形態６のブラインドシャッター装置４０によれば、屋内の照明状態と屋外の日照状態とを取得し、屋外よりも屋内が明るいと判断される場合に、屋外から屋内を見えにくいスラット開度にすることができる。また、太陽光発電装置の発電量から屋外の日照状態を取得するため、照度計のように狭い範囲の情報や、家具や建物あるいは汚れなどの影響を受けずに、正確な情報によってスラットの開度を調整することができる。
【００７５】
（その他の実施形態）
以上、本発明の好適な実施形態について説明したが、本発明は上記実施形態に限定されるものではない。例えば、太陽光発電装置から取得した発電量に基づいてスラット１８のスラット開度を調整しているが、発電量から照度を推測し、照度に基づいてスラット１８のスラット開度を調整する構成を採用することもできる。
【００７６】
また、実施形態４のブラインドシャッター装置では、発電量しきい値とスラット開度とを記憶部２７に記憶してあり、取得した発電量と比較してスラット開度を調整するが、取得した発電量から調整するスラット開度を計算によって求める方法も採用できる。つまり、記憶部２７からデータを取り出すのではなく、都度スラット開度を計算式によって算出する。そして、スラット開度が手動で補正された場合は、補正されたスラット開度に基づいて計算式を補正することで、より望ましいスラット開度を算出する計算式となる。
【００７７】
そして、複数のブライドシャッター装置のスラット開度を全て同じに制御するのではなく、ブラインドシャッター装置の取り付けられている位置（方位）によって制御することが考えられる。太陽光発電装置は複数の太陽電池パネル９２を有するため、パネル毎や方位でグループ化したパネルを各ブラインドシャッター装置に対応させる。各ブラインドシャッター装置は、対応するパネルの発電量に基づいてスラット開度を調整することで、雲により陰りのある窓と陰りのない窓とのスラット開度が調整される等が可能になる。
【００７８】
その他に、発電量の変化（傾き）や、発電量と地域、日付や時間とから気温を予測し、スラット１８を発電量に基づく制御に切り替えることを促す表示や音声案内をすることも考えられる。気温の予測からスラット開度の調整だけでなく、シャッター１３及び窓の開閉についても促すことができる。
【００７９】
また、実施形態６のブラインドシャッター装置では、屋外の日照状態を太陽光発電装置の発電量から照度を推測することで取得しているが、太陽光発電装置が設置されていない場合でも地域、日付及び時間を取得することができれば照度を推測したり、記憶情報から照度を取得したりすることが考えられる。
【符号の説明】
【００８０】
１０，４０：ブラインドシャッター装置、
１１：モータ、１２：巻き取り軸、１３：シャッター、１４：スラット開度変更操作部、
１５：ガイドレール部、１６：格納ボックス、１７：座板、１８：スラット、
１９：モード変更スイッチ、
２Ａ〜２Ｅ，４：制御部、２１，４１：スラット駆動部、２２：発電量取得部、
２３：スラット制御状態取得部、２４，２７，３２，４４：スラット開度設定部、
２５，２８：記憶部、２６：しきい値補正部、２９：記憶スラット開度補正部、
３１，４２：屋内照明状態取得部、
４３：屋外日照状態取得部、
５１：照明器、
９：建築物、９１：屋根、９２：太陽電池パネル、９３：窓。
【図１】
2014101722.tif 000003
【図２】
2014101722.tif 000004
【図３】
2014101722.tif 000005
【図４】
2014101722.tif 000006
【図５】
2014101722.tif 000007
【図６】
2014101722.tif 000008
【図７】
2014101722.tif 000009
【図８】
2014101722.tif 000010
【図９】
2014101722.tif 000011
【図１０】
2014101722.tif 000012
【図１１】
2014101722.tif 000013
【図１２】
2014101722.tif 000014
【図１３】
2014101722.tif 000015
【図１４】
2014101722.tif 000016